(57)【要約】  【課題】  通信回線が接続されたままの状態で、周辺の無線基地局の識別符号の取得及び受信電界強度の測定を行い、リアルタイムに位置情報サービスを受けることができる携帯通信端末を提供する。  【解決手段】  携帯通信端末１は、無線基地局２を通じて無線ネットワーク１０に発呼し（Ｔ１）、無線基地局２との通信回線が接続状態のままで、ハンドオーバと同様の手順により、無線通信に使用している通話チャネルを一時的に制御チャネルに切り替え（Ｔ３）、制御チャネルを使用して周辺の無線基地局（ＣＳ）２、３、４のＣＳ−ＩＤを取得するとともに、その受信電界強度を測定する（Ｔ４）。再び、制御チャネルから通話チャネルに切り替え（Ｔ５）、切替前に通信中であった元の無線基地局に切り戻す（Ｔ６）。無線ネットワーク１０にＣＳ−ＩＤおよび受信電界強度を送信し（Ｔ８）、無線ネットワーク１０から位置情報サービスの提供を受ける（Ｔ１０）。【選択図】  図３
2005294926.tif 000002
【特許請求の範囲】
【請求項１】
無線基地局と無線通信を行い、前記無線基地局に接続された無線ネットワークとデータの通信を行う携帯通信端末であって、
前記無線基地局との無線通信時に使用している通話チャネルから制御チャネルに切り替える第１のチャネル切替手段と、
前記制御チャネルを使用して、周辺の無線基地局の識別符号を取得する識別符号取得手段と、
前記制御チャネルを使用して、周辺の無線基地局からの送信信号の受信電界強度を測定する電界強度測定手段と、
前記周辺の無線基地局に関する前記識別符号の取得及び前記受信電界強度の測定後、前記制御チャネルから前記通話チャネルに切り替える第２のチャネル切替手段と、
前記制御チャネルへの切替前に無線通信を行っていた無線基地局に通信路を切り戻す切戻し手段と、
前記切り替えられた通話チャネルを使用して前記切り戻された無線基地局と無線通信を行い、前記周辺の無線基地局に関する前記識別符号及び前記受信電界強度の情報を前記無線ネットワークに送信する基地局情報送信手段と、
を備える携帯通信端末。
【請求項２】
無線基地局と無線通信を行う携帯通信端末と、前記無線基地局と接続される無線ネットワークとを有し、前記携帯通信端末の位置を検出する位置検出システムであって、
前記携帯通信端末は、
前記無線基地局との無線通信時に使用している通話チャネルから制御チャネルに切り替える第１のチャネル切替手段と、
前記制御チャネルを使用して、周辺の無線基地局の識別符号を取得する識別符号取得手段と、
前記制御チャネルを使用して、周辺の無線基地局からの送信信号の受信電界強度を測定する電界強度測定手段と、
前記周辺の無線基地局に関する前記識別符号の取得及び前記受信電界強度の測定後、前記制御チャネルから前記通話チャネルに切り替える第２のチャネル切替手段と、
前記制御チャネルへの切替前に無線通信を行っていた無線基地局に通信路を切り戻す切戻し手段と、
前記切り替えられた通話チャネルを使用して前記切り戻された無線基地局と無線通信を行い、前記周辺の無線基地局に関する前記識別符号及び前記受信電界強度の情報を前記無線ネットワークに送信する基地局情報送信手段とを備え、
前記無線ネットワークは、
前記無線基地局の識別符号及び受信電界強度の情報を基に、前記携帯通信端末の位置を検出する位置検出手段を備える位置検出システム。
【請求項３】
請求項２に記載の位置検出システムであって、
前記無線ネットワークは、前記検出された携帯通信端末の位置に応じた位置情報サービスを提供する情報提供手段を備える位置検出システム。
【請求項４】
請求項３に記載の位置検出システムであって、
前記情報提供手段は、前記位置が検出された携帯通信端末に、前記位置情報サービスの提供として、前記携帯通信端末の位置に対応する地図情報を配信する位置検出システム。
【請求項５】
請求項３に記載の位置検出システムであって、
前記情報提供手段は、前記無線ネットワークと通信可能な端末に、前記位置情報サービスの提供として、前記位置検出された携帯通信端末の位置を示す位置情報を配信する位置検出システム。
【請求項６】
無線基地局と無線通信を行う携帯通信端末の位置を検出する位置検出方法であって、
前記携帯通信端末の通信チャネルを、前記無線基地局との無線通信時に使用している通話チャネルから制御チャネルに切り替えるステップと、
前記制御チャネルを使用して、前記携帯通信端末の周辺の無線基地局の識別符号を取得するステップと、
前記制御チャネルを使用して、前記携帯通信端末における周辺の無線基地局からの送信信号の受信電界強度を測定するステップと、
前記周辺の無線基地局に関する前記識別符号の取得及び前記受信電界強度の測定後、前記制御チャネルから前記通話チャネルに切り替えるステップと、
前記制御チャネルへの切替前に無線通信を行っていた無線基地局に通信路を切り戻すステップと、
前記切り替えられた通話チャネルを使用して、前記切り戻された無線基地局と無線通信を行い、前記周辺の無線基地局に関する前記識別符号及び前記受信電界強度の情報を前記無線ネットワークに送信するステップと、
前記無線基地局の識別符号及び受信電界強度の情報を基に、前記携帯通信端末の位置を検出するステップと、
を有する位置検出方法。
【発明の詳細な説明】
【技術分野】
【０００１】
本発明は、無線基地局と無線通信を行う携帯通信端末、及びこれを用いた位置検出システム及び位置検出方法に関する。
【背景技術】
【０００２】
従来、デジタル方式で無線通信を行うＰＨＳ（登録商標）等の移動体通信を利用した位置検出システムでは、携帯通信端末は、待ち受け時、無線基地局の識別符号（ＣＳ−ＩＤ）を取得するとともに、その無線基地局からの送信信号の受信電界強度を測定し、これらの情報を無線ネットワークに送信していた。一方、無線ネットワークは、受信したＣＳ−ＩＤおよび受信電界強度を基に、携帯通信端末の位置を検出し、この携帯通信端末や他の端末に位置情報サービスを提供していた。
【０００３】
このような位置情報サービスとして、例えば、携帯通信端末（ＰＳ：Personal Station）がその位置情報に関連したコンテンツを無線ネットワーク経由で利用する情報取得型の位置情報サービスや、携帯通信端末の位置を無線ネットワーク経由でパーソナルコンピュータ等の他の端末に表示する位置把握型の位置情報サービスが既に実用化されている。
【０００４】
図６は従来の位置検出システムにおける位置情報サービス提供時の通信動作処理手順を示す図である。ここでは、無線基地局（ＣＳ：Cell Station）は、位置登録のための情報、チャネル構造に関する情報、システム情報などの制御情報を、制御チャネルを使用して携帯通信端末（ＰＳ）に常時報知しており、この制御情報には、ＣＳ−ＩＤが含まれている。
【０００５】
まず、携帯通信端末２０１は、待ち受け時（Ｔ１０１）、周辺の無線基地局２０４からＣＳ−ＩＤを取得し、かつこの無線基地局２０４からの送信信号の受信電界強度を測定する（Ｔ１０２）。さらに、携帯通信端末２０１は、無線基地局２０２を介して無線ネットワーク２１０に発呼し（Ｔ１０３）、無線ネットワーク２１０と通信回線が接続されて通信中になると（Ｔ１０４）、無線ネットワーク２１０にＣＳ−ＩＤおよび受信電界強度を送信する（Ｔ１０５）。無線ネットワーク２１０は、受信したＣＳ−ＩＤおよび受信電界強度を基に、携帯通信端末の位置を検出し（Ｔ１０６）、その位置情報に適した位置情報サービスを携帯通信端末２０１に提供する（Ｔ１０７）。この位置情報サービスを受けると、携帯通信端末２０１は、回線を切断して通信を終了し（Ｔ１０８）、手順Ｔ１０１と同じ待ち受け状態に戻る。
【０００６】
このように、従来の携帯通信端末は、待ち受け時、周辺の無線基地局のＣＳ−ＩＤを取得し、かつこの無線基地局からの送信信号の受信電界強度を測定した後、通信回線が接続された無線ネットワークにこれらの情報を送信していた。また、無線ネットワークは、受信した複数の無線基地局のＣＳ−ＩＤおよび受信電界強度を基に、携帯通信端末の位置を検出し、その位置情報に対応した位置情報サービスを携帯通信端末に提供していた。
【０００７】
また、他の従来例のＰＨＳ位置検出システムとして、ＰＨＳの着呼シーケンスのうち、着呼メッセージの呼出サービス種別を位置検出用にオプション定義することにより、ＰＨＳは、位置検出の情報を要求していると判断し、既存のＲＴ無線状態報告メッセージを使って、基地局ＩＤと電界強度を基地局に報告し、呼を接続することなく、高速に位置情報を報告するものが知られている（特許文献１参照）。
【０００８】
【特許文献１】特開２０００−７８６４２号公報
【特許文献２】特開平８−１４９５６８号公報
【特許文献３】特開２０００−３０８１１４号公報
【発明の開示】
【発明が解決しようとする課題】
【０００９】
しかしながら、上記従来例の位置検出システムでは、以下に掲げる点において、なお一層の改善が望まれる。すなわち、前者の位置検出システムでは、位置情報サービスを受ける際、携帯通信端末は、ＣＳ−ＩＤの取得および受信電界強度の測定のために、その都度、回線接続、位置情報サービスの通信、回線切断といった処理を繰り返す必要があった。この回線接続には、携帯通信端末および無線基地局間で、リンクチャネル確立フェーズ、サービスチャネル確立フェーズ、通信フェーズ等の通信手順、および無線ネットワーク接続手順が必要となるので、接続完了までに時間を要し、例えばダイヤルしてから無線ネットワークに接続されるまで２０秒程度の時間がかかっていた。また、後者の位置検出システムでは、回線を接続することなく、ＣＳ−ＩＤおよび受信電界強度を基地局に知らせているが、携帯通信端末および無線基地局間の無線通信中に位置情報サービスを提供することについて何も示されていなかった。
【００１０】
このように、上記いずれの従来例においても、回線が切断された状態で、ＣＳ−ＩＤの取得および受信電界強度の測定を行うようになっており、携帯通信端末および無線基地局間の回線を接続したままでＣＳ−ＩＤの取得および受信電界強度の測定を行い、リアルタイムに位置情報サービスを受けることなどはできなかった。
【００１１】
本発明は、上記事情に鑑みてなされたもので、無線基地局を介して無線ネットワークと通信回線が接続された状態で、位置検出のための情報を取得でき、リアルタイムに位置情報サービスを受けることが可能な携帯通信端末、及びこれを用いた位置検出システム及び位置検出方法を提供することを目的とする。
【課題を解決するための手段】
【００１２】
本発明の携帯通信端末は、無線基地局と無線通信を行い、前記無線基地局に接続された無線ネットワークとデータの通信を行う携帯通信端末であって、前記無線基地局との無線通信時に使用している通話チャネルから制御チャネルに切り替える第１のチャネル切替手段と、前記制御チャネルを使用して、周辺の無線基地局の識別符号を取得する識別符号取得手段と、前記制御チャネルを使用して、周辺の無線基地局からの送信信号の受信電界強度を測定する電界強度測定手段と、前記周辺の無線基地局に関する前記識別符号の取得及び前記受信電界強度の測定後、前記制御チャネルから前記通話チャネルに切り替える第２のチャネル切替手段と、前記制御チャネルへの切替前に無線通信を行っていた無線基地局に通信路を切り戻す切戻し手段と、前記切り替えられた通話チャネルを使用して前記切り戻された無線基地局と無線通信を行い、前記周辺の無線基地局に関する前記識別符号及び前記受信電界強度の情報を前記無線ネットワークに送信する基地局情報送信手段と、を備えるものである。
【００１３】
この構成により、無線基地局との間の通信回線を接続した状態のままで、接続中の通信回線を切断することなく、位置検出のための無線基地局の識別符号や受信電界強度等の情報を取得して無線ネットワークに送信でき、リアルタイムに位置情報サービスを受けることが可能となる。
【００１４】
本発明の位置検出システムは、無線基地局と無線通信を行う携帯通信端末と、前記無線基地局と接続される無線ネットワークとを有し、前記携帯通信端末の位置を検出する位置検出システムであって、前記携帯通信端末は、前記無線基地局との無線通信時に使用している通話チャネルから制御チャネルに切り替える第１のチャネル切替手段と、前記制御チャネルを使用して、周辺の無線基地局の識別符号を取得する識別符号取得手段と、前記制御チャネルを使用して、周辺の無線基地局からの送信信号の受信電界強度を測定する電界強度測定手段と、前記周辺の無線基地局に関する前記識別符号の取得及び前記受信電界強度の測定後、前記制御チャネルから前記通話チャネルに切り替える第２のチャネル切替手段と、前記制御チャネルへの切替前に無線通信を行っていた無線基地局に通信路を切り戻す切戻し手段と、前記切り替えられた通話チャネルを使用して前記切り戻された無線基地局と無線通信を行い、前記周辺の無線基地局に関する前記識別符号及び前記受信電界強度の情報を前記無線ネットワークに送信する基地局情報送信手段とを備え、前記無線ネットワークは、前記無線基地局の識別符号及び受信電界強度の情報を基に、前記携帯通信端末の位置を検出する位置検出手段を備えるものである。
【００１５】
この構成により、携帯通信端末において、無線基地局との間の通信回線を接続した状態のままで、接続中の通信回線を切断することなく、位置検出のための無線基地局の識別符号や受信電界強度等の情報を取得することができ、無線ネットワークにおいて、これらの情報に基づき、携帯通信端末の位置情報をリアルタイムに取得することが可能となる。
【００１６】
また、本発明の一態様として、上記の位置検出システムであって、前記無線ネットワークは、前記検出された携帯通信端末の位置に応じた位置情報サービスを提供する情報提供手段を備えるものも含まれる。
【００１７】
この構成により、随時リアルタイムに携帯通信端末の位置を検出し、携帯通信端末の位置に応じた位置情報サービスの提供が可能となる。
【００１８】
また、本発明の一態様として、上記の位置検出システムであって、前記情報提供手段は、前記位置が検出された携帯通信端末に、前記位置情報サービスの提供として、前記携帯通信端末の位置に対応する地図情報を配信するものも含まれる。
【００１９】
この構成により、位置検出を行った携帯通信端末に対して、当該携帯通信端末の位置に対応する地図情報を含む位置情報サービスの提供が可能となる。
【００２０】
また、本発明の一態様として、上記の位置検出システムであって、前記情報提供手段は、前記無線ネットワークと通信可能な端末に、前記位置情報サービスの提供として、前記位置検出された携帯通信端末の位置を示す位置情報を配信するものも含まれる。
【００２１】
この構成により、無線ネットワークと通信可能な端末に対して、位置検出された携帯通信端末の位置を示す位置情報を含む位置情報サービスの提供が可能となる。
【００２２】
本発明の位置検出方法は、無線基地局と無線通信を行う携帯通信端末の位置を検出する位置検出方法であって、前記携帯通信端末の通信チャネルを、前記無線基地局との無線通信時に使用している通話チャネルから制御チャネルに切り替えるステップと、前記制御チャネルを使用して、前記携帯通信端末の周辺の無線基地局の識別符号を取得するステップと、前記制御チャネルを使用して、前記携帯通信端末における周辺の無線基地局からの送信信号の受信電界強度を測定するステップと、前記周辺の無線基地局に関する前記識別符号の取得及び前記受信電界強度の測定後、前記制御チャネルから前記通話チャネルに切り替えるステップと、前記制御チャネルへの切替前に無線通信を行っていた無線基地局に通信路を切り戻すステップと、前記切り替えられた通話チャネルを使用して、前記切り戻された無線基地局と無線通信を行い、前記周辺の無線基地局に関する前記識別符号及び前記受信電界強度の情報を前記無線ネットワークに送信するステップと、前記無線基地局の識別符号及び受信電界強度の情報を基に、前記携帯通信端末の位置を検出するステップと、を有するものである。
【００２３】
この手順により、無線基地局との間の通信回線を接続した状態のままで、接続中の通信回線を切断することなく、位置検出のための情報を取得して無線ネットワークに送信でき、リアルタイムに位置情報サービスを受けることが可能となる。
【発明の効果】
【００２４】
本発明によれば、無線基地局を介して無線ネットワークと通信回線が接続された状態で、位置検出のための情報を取得でき、リアルタイムに位置情報サービスを受けることが可能な携帯通信端末、及びこれを用いた位置検出システム及び位置検出方法を提供することができる。
【発明を実施するための最良の形態】
【００２５】
本実施形態では、ＰＨＳ（登録商標）の移動体通信システムに適用した場合の携帯通信端末及び位置検出システムの構成例を示す。この位置検出システムは、携帯通信端末の位置を検出し、この端末の位置情報を基に、携帯通信端末や他の端末に位置情報サービスを提供する位置情報システムに適用される。
【００２６】
（第１の実施形態）
図１は本発明の第１の実施形態における位置情報システムの構成を示す図である。この位置情報システムは、携帯通信端末が無線ネットワークから位置情報に関連する情報の提供を受ける情報取得型の位置情報サービスを行うものであり、携帯通信端末１と、この携帯通信端末１と無線通信を行う複数の無線基地局２、３、４と、これら無線基地局２〜４が接続される無線ネットワーク１０とを有して構成される。
【００２７】
無線ネットワーク１０は、複数の無線基地局２、３、４および携帯通信端末１間の無線通信を管理する無線制御装置１１と、この無線制御装置１１と通信路１５を介して接続された複数のサーバ装置（具体的に、位置検出サーバ１２および情報提供サーバ１３）とを有して構成される。位置検出サーバ１２は、位置検出手段の機能を有するもので、携帯通信端末１から取得した後述する無線基地局の識別符号（ＣＳ−ＩＤ）と受信電界強度の情報を基に、携帯通信端末１の位置を検出する。情報提供サーバ１３は、情報提供手段の機能を有するもので、地図情報等のデータベースを搭載しており、位置検出サーバ１２から携帯通信端末１の位置情報を取得すると、その位置情報に適した地図情報を検索し、該当する地図情報を無線基地局２を通じて携帯通信端末１に配信する。なお、図１における実線の通信路３２は、携帯通信端末１および無線基地局２間に接続される通信チャネルを表し、破線の通信路３３、３４、３５は、携帯通信端末１および無線基地局２〜４間に接続される制御チャネルを表している。
【００２８】
図２は本実施形態における携帯通信端末１の構成を示すブロック図である。携帯通信端末１は、変復調部、ＴＤＭＡ−ＴＤＤ制御部、コーデック部、受信電界強度測定部等を有する無線制御部２３を中心に構成される。この無線制御部２３には、アンテナ２１を介して携帯通信端末１と無線信号の送受信を行う無線部２２、各種操作キーを有する操作部２４、各種情報を表示する表示部２５、スピーカおよびマイクからなる音声入出力部２６、および無線基地局の識別符号（ＣＳ−ＩＤ）、無線基地局のからの送信信号の受信電界強度、地図情報等の各種情報を記憶するメモリ２７が接続されている。無線制御部２３は、プロセッサ及びメモリを備えて構成され、第１のチャネル切替手段、第２のチャネル切替手段、識別符号取得手段、電界強度測定手段、切戻し手段、基地局情報送信手段の機能を有するもので、これらの機能に関する動作については以下に詳述する。
【００２９】
次に、上記構成を有する位置情報システムにおける位置情報サービス提供時の通信動作処理を示す。図３は本実施形態における位置情報サービス提供時の通信動作処理手順を示す図である。この位置情報サービスの提供は、携帯通信端末（ＰＳ）１、無線基地局（ＣＳ）２、無線ネットワーク１０および周辺の無線基地局（周辺ＣＳ）２、３、４間で行われる。
【００３０】
まず、使用者が操作部２４を操作し、位置情報サービスの開始を携帯通信端末１に指示すると、携帯通信端末１は無線基地局２を通じて無線ネットワーク１０に対して発呼を行う（Ｔ１）。この発呼による通信回線の接続は、リンクチャネルの確立フェーズ、サービスチャネル確立フェーズおよび通信フェーズの通信手順で行われる。そして、無線基地局２と間で通信回線が接続されると、携帯通信端末１は通話チャネルを使って無線ネットワーク１０と通信を行う（Ｔ２）。
【００３１】
通信が開始すると、携帯通信端末１は、通信回線の接続状態を維持したまま、一定の周期にしたがって、無線基地局２と無線通信を行っている時に使用している通話チャネルを制御チャネルに一時的に切り替える（Ｔ３）。そして、この切り替えられた制御チャネルを使用し、携帯通信端末１は、周辺の無線基地局２、３、４からその識別符号（ＣＳ−ＩＤ）を取得するとともに、受信電界強度を測定する（Ｔ４）。このとき、通話チャネル、制御チャネル等の通信チャネルの切り替えは、ハンドオーバと同様の手順により行う。さらに、取得したＣＳ−ＩＤおよび計測された受信電界強度をメモリ２７に記憶した後、再び制御チャネルから通話チャネルに切り替える（Ｔ５）。この切り替えられた通話チャネルを、切替前に通信中であった元の無線基地局２に切り戻し（Ｔ６）、元の無線基地局２を介して無線ネットワーク１０との通信を再開する（Ｔ７）。
【００３２】
通信が再開されると、携帯通信端末１は、無線ネットワーク１０に対し、メモリ２７に記憶しておいた各周辺の無線基地局２、３、４の識別符号（ＣＳ−ＩＤ）および受信電界強度の情報を送信する（Ｔ８）。無線ネットワーク１０内の位置検出サーバ１２は、これらの情報を受信すると、受信したＣＳ−ＩＤおよび受信電界強度を基に、携帯通信端末１の位置を検出する（Ｔ９）。
【００３３】
ここで、全ての無線基地局の位置情報は、予め無線ネットワーク内の特定のサーバ装置に登録されているので、位置検出サーバ１２によって、携帯通信端末１の周辺にある無線基地局のＣＳ−ＩＤと受信電界強度の情報に基づき、携帯通信端末１の位置を特定することが可能である。なお、携帯通信端末１の周辺の無線基地局のＣＳ−ＩＤの取得および受信電界強度の測定を行う場合、受信電界強度の強い順から複数組行うことにより、無線ネットワークで複数組の無線基地局のＣＳ−ＩＤと受信電界強度の情報に基づき、例えば三角測量方式により携帯通信端末１の位置を計算し、携帯通信端末１の位置検出精度を高めることができる。
【００３４】
位置検出サーバ１２によって携帯通信端末１の位置が検出されると、情報提供サーバ１３は、検出された位置情報に適した地図情報をデータベースから検索し、該当する地図情報を無線基地局２を介して携帯通信端末１に配信する（Ｔ１０）。配信された地図情報は、携帯通信端末１によってメモリ２７に記憶され、表示部２５に表示される。この後、携帯通信端末１は、無線ネットワーク１０との通信を継続し、一定の周期に見合った時間に達すると、再び手順Ｔ３以降の通信処理を繰り返す。この位置情報サービスは、使用者が操作部２４を介してサービスの終了を指示するまで行われる。
【００３５】
このように、本実施形態の位置情報システムによれば、携帯通信端末は、無線基地局と通信回線の接続中であっても、周辺の無線基地局のＣＳ−ＩＤおよび受信電界強度を取得でき、無線ネットワークからリアルタイムに位置情報サービスを受けることが可能となる。すなわち、従来では、無線基地局との通信回線を一旦切断してから、これらの情報を取得し、再度、接続しなければならなかったが、本実施形態では、そのような通信回線の切断及び再接続に要する時間を省くことができ、通信の途切れなく位置検出を行うことが可能である。
【００３６】
（第２の実施形態）
第２の実施形態では、無線ネットワークに接続されたセンタ側で携帯通信端末の位置を管理する位置把握型の位置情報サービスに適用した例を示す。図４は本発明の第２の実施形態における位置情報システムの構成を示す図である。上記第１の実施形態と同一の構成要素には、同一の符号を付すことにより、その説明を省略する。
【００３７】
無線ネットワーク１０には、通信路１５に接続された回線接続装置４１が設けられており、この回線接続装置４１を介して無線ネットワーク１０と接続されて通信可能な他の通信網４３には、パーソナルコンピュータ等の情報処理装置の端末４５が接続されている。
【００３８】
第２の実施形態においても、上記第１の実施形態と同様の位置検出処理により、携帯通信端末１と無線基地局２との通信回線を接続したままの状態で、周辺の無線基地局２、３、４のＣＳ−ＩＤの取得と受信電界強度の測定を行い、ＣＳ−ＩＤおよび受信電界強度の情報を無線ネットワーク１０の位置検出サーバ１２に送信する。位置検出サーバ１２は、無線基地局のＣＳ−ＩＤおよび受信電界強度を基に、携帯通信端末１の位置検出を行う。そして、情報提供サーバ１３は、検出された携帯通信端末１の位置情報に基づき、携帯通信端末１の位置を示す地図情報等の位置情報サービスを回線接続装置４１、通信網４３を介して端末４５に配信する。
【００３９】
端末４５では、時々刻々と検出される携帯通信端末の現在位置、携帯通信端末の移動経路などの位置情報を地図情報などと共に表示画面に表示する等の処理を行うことで、使用者が携帯通信端末の位置を把握することができる。なお、携帯通信端末の位置を含む位置情報サービスの配信は、他の通信網４３に接続された端末４５だけでなく、他の無線基地局と通信する他の携帯通信端末に配信するようにしてもよい。
【００４０】
（第３の実施形態）
第３の実施形態では、無線ネットワークに接続されたセンタ側で携帯通信端末の位置を管理する位置把握型の位置情報サービスに適用した他の例を示す。図５は本発明の第３の実施形態における位置情報システムの構成を示す図である。上記第１の実施形態と同一の構成要素には、同一の符号を付すことにより、その説明を省略する。
【００４１】
無線ネットワーク１０には、通信路１５に接続された回線接続装置４１が設けられており、この回線接続装置４１を介して無線ネットワーク１０と接続されて通信可能な他の通信網４３には、パーソナルコンピュータ等の情報処理装置の端末４５が接続されている。この端末４５には、地図データベース４６が接続されている。
【００４２】
第３の実施形態においても、上記第１の実施形態と同様の位置検出処理により、携帯通信端末１と無線基地局２との通信回線を接続したままの状態で、周辺の無線基地局２、３、４のＣＳ−ＩＤの取得と受信電界強度の測定を行い、ＣＳ−ＩＤおよび受信電界強度の情報を無線ネットワーク１０の位置検出サーバ１２に送信する。位置検出サーバ１２は、無線基地局のＣＳ−ＩＤおよび受信電界強度を基に、携帯通信端末１の位置検出を行い、緯度経度情報に変換する。そして、位置検出サーバ１２は、携帯通信端末１の位置を示す緯度経度情報を回線接続装置４１、通信網４３を介して端末４５に配信する。
【００４３】
端末４５では、地図データベース４６の地図情報を参照し、緯度経度情報から携帯通信端末１の位置を示す地図情報を端末４５の表示画面に表示することで、使用者が携帯通信端末の位置を把握することができる。
【００４４】
このように、本実施形態の位置情報システムによれば、携帯通信端末において無線基地局との通信回線を接続したままで周辺の無線基地局のＣＳ−ＩＤおよび受信電界強度を取得でき、携帯通信端末の位置を示す位置情報サービスを無線ネットワークから他の端末に提供して、リアルタイムに携帯通信端末の位置を把握することが可能となる。
【００４５】
以上が本発明の実施の形態の説明であるが、本発明は、上記実施形態の構成に限られるものではなく、他のシステム構成に適用したりなど、種々の変形が可能である。例えば、上記実施形態では、無線ネットワークは、位置検出を行った携帯通信端末に地図情報等の位置情報サービスを配信していたが、位置情報を他の携帯通信端末等の端末に配信してもよい。また、上記実施形態では、携帯通信端末として、ＰＨＳ端末、携帯電話端末等を用いた場合を示したが、この他、無線通信機能を有するＰＤＡ（携帯情報端末）、ノート型ＰＣ等に適用してもよいことは勿論である。
【産業上の利用可能性】
【００４６】
本発明は、無線基地局を介して無線ネットワークと通信回線が接続された状態で、位置検出のための情報を取得でき、リアルタイムに位置情報サービスを受けることが可能となる効果を有し、無線基地局と無線通信を行う携帯通信端末、及びこれを用いた位置検出システム及び位置検出方法等に有用である。
【図面の簡単な説明】
【００４７】
【図１】本発明の第１の実施形態における位置情報システムの構成を示す図
【図２】本実施形態における携帯通信端末の構成を示すブロック図
【図３】本実施形態における位置情報サービス提供時の通信動作処理手順を示す図
【図４】本発明の第２の実施形態における位置情報システムの構成を示す図
【図５】本発明の第３の実施形態における位置情報システムの構成を示す図
【図６】従来の位置検出システムにおける位置情報サービス提供時の通信動作処理手順を示す図
【符号の説明】
【００４８】
１          携帯通信端末（ＰＳ）
２、３、４  無線基地局（ＣＳ）
１０        無線ネットワーク
１１        無線制御装置
１２        位置検出サーバ
１３        情報提供サーバ
２３        無線制御部
４１        回線接続装置
４５        端末
【図１】
2005294926.tif 000003
【図２】
2005294926.tif 000004
【図３】
2005294926.tif 000005
【図４】
2005294926.tif 000006
【図５】
2005294926.tif 000007
【図６】
2005294926.tif 000008